(57)【要約】      （修正有）【課題】見栄えが良く、換気効率が高く、容易に掃除ができ、また、背の低い人や車椅子に座っている人でもガラリ羽根の開閉操作が楽に行なえる換気ガラリを提供する。【解決手段】換気用の開口を形成するガラリ外枠材２における内壁面２ａの開口縁に沿う両周縁部２ｂを、平坦面、或いは０．５ｍｍ〜３ｍｍの高さを有する曲面凸条部で形成した。ガラリ羽根４，４・・・を手動で開閉操作する操作部材をガラリ羽根４，４・・・後方の高さの位置から背の低い人や車椅子に座っている人でも届く位置まで吊下げた。【選択図】図１
0003189131.tif 000002
【実用新案登録請求の範囲】
【請求項１】
ガラリ外枠材とガラリ内枠材とを対向させたガラリ枠と、複数枚のガラリ羽根とを具備し、
前記ガラリ外枠材は、換気用の開口を形成する内壁面を有し、
該内壁面の開口縁に沿う両周縁部は、平坦面、或いは０．５ｍｍ〜３ｍｍの高さを有する曲面凸条部を有していることを特徴とする換気ガラリ。
【請求項２】
前記各ガラリ羽根は、左右の前記内壁面に両端部が軸支された支軸を介して、換気用の隙間を設けて、水平姿勢で上下複数段に配置された、上下厚さに対して前後長さが長い楕円形状又は長方形を有する、請求項１に記載の換気ガラリ。
【請求項３】
前記各ガラリ羽根は、前記支軸を中心に上下回動する可動羽根であり、
該各ガラリ羽根には、該各ガラリ羽根を上下回動させるリンクの一端部が夫々取り付けられ、
該リンクに、前記各ガラリ羽根を上下回動操作する操作部材が支持されている、請求項１又は２に記載の換気ガラリ。
【請求項４】
前記各ガラリ羽根には、前記支軸と、該支軸に平行な向きの挿入軸とが軸挿されており、
前記各ガラリ羽根の横長さを略２分する箇所に、前記リンクの一端部を突入させる切欠き部が夫々設けられ、
前記挿入軸の途中長さ箇所と、前記各リンクの一端部とが、前記各切欠き部内において係合している、請求項３に記載の換気ガラリ。
【請求項５】
前記操作部材は、前記開口下方の手の届く高さの位置まで届く長さを有している、請求項３又は４に記載の換気ガラリ。
【考案の詳細な説明】
【技術分野】
【０００１】  本考案は、室内ドア及び室内壁面等に設けた開口内に取り付けられる換気ガラリに関する。
【背景技術】
【０００２】  ガラリ外枠材とガラリ内枠材とを対向させたガラリ枠の内側に、複数枚のガラリ羽根を上下に間隔を設けて平行かつ上下多段に取り付けた換気ガラリが、特許文献１の図３に示されている。この図と同様の本願提出物件図面の図９によると、従来型の換気ガラリ枠２０は、と、ガラリ内枠材２０Ｒと、複数枚のガラリ羽根１０，１０・・・とガラリ外枠材２０Ｆによる組付品で構成されている。
このガラリ外枠材２Ｆは、換気用の開口を形成する内壁面２０ａを有し、内壁面２０ａの両周縁部には、４ｍｍ〜１５ｍｍの高さがある内向きに起立したリブ２０ｂ，２０ｃが形成されている。
リブ２０ｂ，２０ｃは、内壁面２０ａとともに、開口の周囲を形成して、ガラリ羽根１０，１０・・・の各左右両端部と、最下段のガラリ羽根１０の下端部が前後移動するのを抑える。【０００３】  ところで、換気ガラリを室内の壁面、室内ドアに設けると、各室内外の空気の流通が良くなるが、冬場の季節には暖房した室内に、換気ガラリから冷気が侵入する不具合がある。
この不具合を解消する、ガラリ羽根を手動で開閉させることができる従来型の換気ガラリは、ガラリ羽根の開閉操作がガラリ羽根後方の高さの位置に設けられている操作レバーにより行なわれる。
【先行技術文献】
【特許文献１】実開平５−３４２９１号公報における図３
【０００４】  しかしながら、ガラリ外枠材２Ｆの内壁面２０ａの両周縁部にリブ２ｂ，２ｃが起立していると、リブ２ｂ，２ｃが邪魔になって、開口の内壁面２０ａ、及びガラリ羽根１０，１０・・・の拭き掃除をする障害になる。しかも、リブ２ｂ，２ｃの内側に埃が溜まり易い。また、リブ２ｃ，２ｃは、前記開口を狭くし、開口内を流通する気流の流れをかく乱させて、換気効率を低くする。
【０００５】  換気ガラリが人の手の届かない高さの位置に設けられて、前記操作レバーが前記開口に近接する後方位置に設けられていると、椅子或いは脚立等の上に立って操作レバーの操作をしなければならない不具合がある。
【考案の概要】
【考案が解決しようとする課題】
【０００６】  本考案は、見栄えが良く、換気効率が高く、容易に掃除ができる換気ガラリ、及び、背の低い人や車椅子に座っている人でもガラリ羽根の開閉操作が楽に行なえる換気ガラリ、を提供することを解決課題とする。
【課題を解決するための手段】
【０００７】  請求項１に係る換気ガラリは、ガラリ外枠材とガラリ内枠材とを対向させたガラリ枠と、複数枚のガラリ羽根とを具備し、前記ガラリ外枠材は、換気用の開口を形成する内壁面を有し、該内壁面の開口縁に沿う両周縁部は、平坦面、或いは０．５ｍｍ〜３ｍｍの高さを有する曲面凸条部を有しているところに特徴がある。【０００８】  請求項２に係る換気ガラリは、請求項１に記載の換気ガラリにおいて、前記各ガラリ羽根は、左右の前記内壁面に両端部が軸支された支軸を介して、換気用の隙間を設けて、水平姿勢で上下複数段に配置された、上下厚さに対して前後長さが長い楕円形状又は長方形を有している。【０００９】  請求項３に係る換気ガラリは、請求項１又は２に記載の換気ガラリにおいて、前記各ガラリ羽根は、前記支軸を中心に上下回動する可動羽根であり、該各ガラリ羽根には、該各ガラリ羽根を上下回動させるリンクの一端部が夫々取り付けられ、該リンクに、前記各ガラリ羽根を上下回動操作する操作部材が支持されている。【００１０】  請求項４に係る換気ガラリは、請求項３に記載の換気ガラリにおいて、前記各ガラリ羽根には、前記支軸と、該支軸に平行な向きの挿入軸とが軸挿されており、前記各ガラリ羽根の横長さを略２分する箇所に、前記リンクの一端部を突入させる切欠き部が夫々設けられ、前記挿入軸の途中長さ箇所と、前記各リンクの一端部とが、前記各切欠き部内において係合している。【００１１】  請求項５に係る換気ガラリは、請求項項３又は４に記載の換気ガラリにおいて、前記操作部材は、前記開口下方の手の届く高さの位置まで届く長さを有している。
【考案を実施するための形態】
【００１２】  本考案の実施の形態を、次の実施例において詳述する。
【図面の簡単な説明】
【００１３】
【図１】（ａ）は本考案第１実施形態に係る換気ガラリの一部正面図、（ｂ）は（ａ）におけるＩ―Ｉ断面図、（ｃ）は（ｂ）における上部拡大図。
【図２】（ａ）は第２実施形態に係る換気ガラリの上部を示した側面断面図、（ｂ）はその一部拡大図。
【図３】換気ガラリを設けた室内ドアの正面図。
【図４】第３実施形態に係る換気ガラリを設けた室内ドアの背面図。
【図５】（ａ）及び（ｂ）は、いずれも第３実施形態に係る換気ガラリの側面断面図。
【図６】（ａ）はガラリ羽根とリンクの連結構造を示した斜視図、（ｂ）は換気ガラリの平面断面図、（ｃ）及び（ｄ）はガラリ羽根の開閉操作構造を示した平面部分断面図。
【図７】第４実施形態に係る換気ガラリを設けた室内ドアの背面図。
【図８】（ａ）は第４実施形態に係る換気ガラリの側面断面図、（ｂ）はその一部平面図。
【図９】従来型の換気ガラリの上部と下部を示した部分側面断面図。
【実施例】
【００１４】〔第１実施形態〕
図１（ａ）及び（ｂ）に示す本考案実施形態１に係る換気ガラリ１は、ガラリ外枠材２と、ガラリ内枠材３と、ガラリ羽根４，４・・・とによる組付品で構成された、換気効率に優れる換気ガラリである。
換気ガラリ１に用いられているガラリ外枠材２には、換気用の開口を形成する角筒形状の内壁面２ａが設けられている。ガラリ内枠材３は、断面がＬ形状を有する角筒形状を有している。ガラリ外枠材２とガラリ内枠材３は、換気ガラリ１を取り付けるための開口が設けられた壁面部分又はドア面部分に、対向する向きで取り付けられて、留ねじ８，８・・・で固定されている。【００１５】  ガラリ外枠材２の内壁面２ａは、開口縁に沿う両周縁部２ｂ、２ｂを含めた全面が平坦面で形成されて、内壁面２ａで囲まれた開口内に気流が良好に流通するようにしてある。【００１６】  この実施形態１に係る換気ガラリ１では、横長さ方向を直交する断面形状が上下厚さに対して前後長さが長いＦＢガラリ羽根の１種である楕円形状のガラリ羽根４，４・・・が用いられている。
ガラリ羽根４，４・・・は、左右の内壁面２ａ，２ａに両端部が軸支された２本の支軸５，６を介して、換気用の隙間を設けて、水平姿勢で上下複数段に配置されている。【００１７】  以上の構成を有する本考案第１実施形態に係る換気ガラリ１は、ガラリ外枠材２の両周縁部２ｂ、２ｂを含めた内壁面２ａ全面が平坦面であり、断面形状が楕円形状のガラリ羽根４，４・・・が用いられているため、拭き掃除がし易く、見栄えが良く、換気効率が高い。【００１８】〔第２実施形態〕
図２（ａ）に示す第２実施形態に係る換気ガラリ１Ａは、ガラリ外枠材２の内壁面２ａの両周縁部２ｂ，２ｂが、対向方向（内向き）に突出する曲面凸条部２ｃ，２ｃにて形成されている。
図２（ｂ）に示すこの曲面凸条部２ｃ，２ｃの高さｈは、０．５ｍｍ〜３ｍｍ程度とされている。この程度の高さの曲面凸条部２ｃ，２ｃは、拭き掃除の邪魔になることがなく、ガラリ開口部内に埃が溜まり難く、換気流（風）の流通に悪影響を与えない。しかも、ガラリ外枠材２の内壁面２ａ、及びガラリ羽根４，４・・・に温度差及び水蒸気により付着した水滴が下方に流れても、曲面凸条部２ｄ，２ｃがこれを受け止めてガラリ下方に垂らさない。
曲面凸条部２ｃ，２ｃは、ガラリ羽根４，４・・・の両端部とガラリ外枠材２の内側面２ａとの間に生じている僅かの隙間を隠し、換気ガラリ１Ｂの美観を向上させる。【００１９】  図３に示すように、第１実施形態及び第２実施形態に係る換気ガラリ１、１Ａを、ドア１００の上部に開設した開口１０１に設けると、拭き掃除がし易く、見栄えが良く、換気効率が高いドアになる。このドア１００は、室内ドア、玄関ドアが挙げられる。【００２０】〔第３実施形態〕
図４に第３実施形態に係る換気ガラリ１Ｂを設けたドア１００が示されている。
このドア１００は室内ドアとして好適であり、図において手前面が室内側になる。
このドア１００の換気ガラリ１Ｂは、換気効率が高く、拭き掃除が容易であり、背丈の低い人、車椅子に座っている人がガラリ羽根４，４・・・の開閉が行なえるように、ガラリ羽根４，４・・・の開閉操作を行なう操作部材１３が、ガラリ羽根４，４・・・の下方に長く吊下げられている。操作部材１３は伸縮調整ができる構造であってもよい。【００２１】  図５（ａ）（ｂ）に示すように、この換気ガラリ１Ｂによれば、ガラリ外枠材２の内壁面２ａにおける開口縁に沿う両周縁部２ｂ、２ｂを含めた全面が、平坦面で形成されている点、と、ガラリ羽根４，４・・・として横長さ方向を直交する断面形状が上下厚さに対して前後長さが長い楕円形状のＦＢガラリ羽根を用いた点において、高い換気効率と、拭き掃除の容易さを実現させてある。【００２２】  ガラリ羽根４，４・・・は、ガラリ外枠材２の左右の内壁面２ａ，２ａに両端部が軸支された支軸５を介して、ガラリ外枠材２の内側に上下開閉自在に設けられている。
図５（ａ）（ｂ）、図６（ａ）（ｂ）に示すように、ガラリ羽根４，４・・・内の回動幅を大きくする一端側には、ガラリ羽根４，４・・・の内側に収まる長さの軸７が挿入されている。
ガラリ羽根４，４・・・の横長さを略２分する箇所には、切欠き部４ａ，４ａ・・・が、軸７，７・・・を超える深さまで設けられている。切欠き部４ａ，４ａ・・・内には、櫛（くし）状のリンク１０の各突出端部１０ａ，１０ａ・・・が突入して、各突出端部１０ａ，１０ａ・・・と軸７，７・・・とが上下回動自在に連結されている。【００２３】  リンク１０の後方には、上部及び下部のガラリ内枠材３に装着されている取付部材１８，１８を介して、ねじ棒１１が軸回転自在に支持されている。
図５（ａ）（ｂ）、図６（ｃ）（ｄ）に示すように、ねじ棒１１にはフランジ部１６ａを有するナット１６が螺装されている。
ナット１６は、リンク１０に装着されて後方に突出する連動部材１５の両側壁に設けられている前後方向に長い矩形の孔１５ａ，１５ａ内にフランジ部１６ａが突入して、連動部材１５に前後移動自在に保持されている。
ねじ棒１１の下端部は、ジョイント１２を介して、更に下方に吊下げられている操作部材１３に連結されている。
このため、図５（ａ）（ｂ）に示すように、操作部材１３を左右何れかの方向に回転操作すると、連動部材１５にはナット１６による上下いずれかの方向に移動させる圧力が加わって、リンク１０がガラリ羽根４，４・・・を開閉させる。
連動部材１５の孔１５ａ，１５ａが長孔であるのは、リンク１０の斜め上下移動に合わせてナット１６を前後移動させるためである。【００２４】〔第４実施形態〕
図７に第４実施形態に係る換気ガラリ１Ｃを設けたドア１００が示されている。
このドア１００は室内ドアとして好適であり、図において手前面が室内側になる。
このドア１００の換気ガラリ１Ｂも、換気効率が高く、拭き掃除が容易であり、背丈の低い人、車椅子に座っている人がガラリ羽根４，４・・・の開閉が行なえるように、ガラリ羽根４，４・・・の開閉操作を行なう操作部材１３が、ガラリ羽根４，４・・・の下方に長く吊下げられている。【００２５】  図８（ａ）に示すように、この換気ガラリ１Ｃにおいて、ガラリ羽根４，４・・・を櫛（くし）状のリンク１０によって開閉させる構造である点については、第２実施形態の換気ガラリと同様である。
しかしながら、第４実施形態に係る換気ガラリ１Ｃの場合には、リンク１０の下端部から下方に吊下げた棒状の操作部材１３を手で上下操作してガラリ羽根４，４・・・を開閉させる。
この操作に伴うリンク１０の斜め上下移動において、リンク１０の両側が上部及び下部のガラリ内枠材３に装着されているガイド部材２０，２０によりガイドされている。このガイドが接触を伴うガイドであると、リンク１０を途中高さの位置で停止させて、ガラリ羽根４，４・・・を途中開きの状態を維持させることができる。
【考案の効果】
【００２６】  本考案に係る換気ガラリによれば、見栄えが良く、換気効率が高く、容易に掃除ができる効果があり、更にガラリ羽根の開閉操作を行なう操作部材をガラリ羽根の高さのある位置から下方に長く吊下げた結果、背丈の低い人、車椅子に座っている人でも、ガラリ羽根の開閉操作が楽に行なえるようになった。
【符号の説明】
【００２７】  １    本考案実施形態１に係る換気ガラリ
２    ガラリ外枠材
２ａ  内壁面
２ｂ  両周縁部
２ｃ  曲面凸条部
３    ガラリ内枠材
４    ガラリ羽根
４ａ  切欠き部
５    支軸
６    支軸
７    軸
８
１０    リンク
１０ａ  突出端部
１１    ねじ棒
１３    操作部材
１５    連動部材
１６    ナット
【図１】
0003189131.tif 000003
【図２】
0003189131.tif 000004
【図３】
0003189131.tif 000005
【図４】
0003189131.tif 000006
【図５】
0003189131.tif 000007
【図６】
0003189131.tif 000008
【図７】
0003189131.tif 000009
【図８】
0003189131.tif 000010
【図９】
0003189131.tif 000011